(57)【要約】【課題】  折り戸の閉鎖運動終端近傍において、センターヒンジのスプリングによる折り戸の急激な閉鎖運動を緩和して滑らかに閉じることのできる折り戸の開閉装置を低コストで提供する。【解決手段】  左右の扉体がセンターヒンジ２によって折畳み自在に連結され、且つセンターヒンジ２のスプリングにより左右の扉体が閉鎖位置に付勢されるようにした折り戸であって、前記扉体に緩衝具１０が設けられ、該緩衝具１０は、一方の扉体１ａに取り付けられ且つ縦軸の周りで回動するローター１２を内蔵するロータリーダンバー１１を備え、前記ローター１２に回動アーム１３の一端が連結され、該回動アーム１３の他端が他方の扉体１ｂに設けられた枢軸１４にスライド可能に連結されて、左右の扉体の開閉運動に伴って回動アーム１３がローター１２と共に回動するように形成されており、前記ローター１２が折り戸の閉鎖運動終端近傍位置から閉鎖位置までの回動領域において制動トルクが生じるように形成されている構造。【選択図】図４
2008038441.tif 000002
【特許請求の範囲】
【請求項１】
左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、前記扉体の上端面又は下端面若しくはその両方に取り付けられた緩衝具を含み、該緩衝具は、一方の扉体に取り付けられ且つ縦軸の周りで回動するローターを内蔵するロータリーダンバーを備え、前記ローターに他方の扉体に向かって水平に延びる回動アームの一端が連結され、該回動アームの他端が他方の扉体に設けられた垂直な枢軸にスライド可能に連結されて、左右の扉体の開閉運動に伴って回動アームがローターと共に回動するように形成されており、前記ロータリーダンバーのローターが少なくとも折り戸の閉鎖運動終端近傍位置から閉鎖位置までの回動領域において制動トルクが生じるように形成されており、該ローターによる制動トルクは前記センターヒンジのスプリングによる扉体閉じ力より小さく設定されている折り戸の開閉装置。
【請求項２】
前記緩衝具が、折り戸の上下端面に取り付けられている請求項１に記載の折り戸の開閉装置。
【発明の詳細な説明】
【技術分野】
【０００１】
本発明は、折り戸の開閉装置に関するもので、殊に、折り戸の急激な閉鎖運動を緩和する緩衝具を備えた折り戸の開閉装置に関するものである。
【背景技術】
【０００２】
従来、折り戸を手で閉じるときに、閉鎖運動終端近傍において手を離しても、折り戸の左右の扉体を連結するセンターヒンジに組み込まれたスプリングの力により、強制的に左右の扉体が直線姿勢となる最終閉鎖位置までまで閉じるように形成されているのが一般的である。このようなセンターヒンジは、例えば特許文献１〜４で開示されている。
【特許文献１】特公昭５５−４７１９１号公報
【特許文献２】実開昭６３−１３４０８８号公報
【特許文献３】実公平０３−３０５４１号公報
【特許文献４】特開平０３ー２２８９８９号公報
【発明の開示】
【発明が解決しようとする課題】
【０００３】
しかし、センターヒンジに組み込まれたスプリングの力は、折り戸の閉鎖運動終端近傍位置において急激に作用するので、折り戸を閉じたときの衝撃により、振動や衝撃音が発生する等の問題点があった。
【０００４】
そこで本発明は、折り戸の閉鎖運動終端近傍において、前記スプリングによる折り戸の急激な閉鎖運動を緩和する緩衝具を折り戸の扉体に組み込むことにより、折り戸閉鎖時の衝撃を緩和して滑らかに閉じることのできる折り戸の開閉装置を簡単な構造で低コストで提供することを主たる目的とするものである。
【課題を解決するための手段】
【０００５】
上記目的を達成する為に本発明では次のような技術的手段を講じた。即ち、本発明に係る折り戸の開閉装置にあっては、左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、前記扉体の上端面又は下端面若しくはその両方に取り付けられた緩衝具を含み、該緩衝具は、一方の扉体に取り付けられ且つ縦軸の周りで回動するローターを内蔵するロータリーダンバーを備え、前記ローターに水平方向に延びる回動アームの一端が連結され、該回動アームの他端が他方の扉体に設けられた垂直な枢軸にスライド可能に連結されて、左右の扉体の開閉運動に伴って回動アームがローターと共に回動するように形成されており、前記ロータリーダンバーのローターが扉体の閉鎖運動終端近傍において扉体の急激な閉鎖運動にブレーキをかけるように形成されており、該ローターによる制動トルクは前記センターヒンジのスプリングによる扉体閉じ力より小さく設定されている構造とした。
【０００６】
前記ロータリーダンバーのローターは、充填されたシリコン等のオイルの粘性抵抗やスプリングの反力によって、設定された回動領域で自身の回動に制動トルクを生じせしめるように形成されている。前記設定された回動領域とは、扉体の閉鎖運動終端近傍位置から閉鎖位置までのローターの回動領域を意味する。
【発明の効果】
【０００７】
本発明は上記の如く構成されているので、折り戸を閉じる際に、閉鎖運動終端近傍においてロータリーダンパーのローターによって扉体の急激な閉鎖運動にブレーキがかかり、センターヒンジのスプリングによる折り戸の急激な閉鎖運動を緩和して、折り戸を滑らかに閉じることができ、衝撃による振動や衝撃音の発生を未然に防止することができると共に、ロータリーダンバーによる制動トルクはセンターヒンジのスプリングによる扉体閉じ力より小さく設定されているので、センターヒンジのスプリング力によって折り戸を確実に閉鎖位置に閉じることができ、加えて、緩衝具が扉体に取り付けるだけでよいから組み付けが容易であり低コストで提供できる、といった効果がある。
【発明を実施するための最良の形態】
【０００８】
図１〜図５は本発明にかかる折り戸の開閉装置の一実施例を示すものであって、符号１で折り戸を示す。この折り戸１は、図３並びに図４に示すように、センターヒンジ２によって折畳み可能に連結された左右一対の扉体１ａ、１ｂからなり、各扉体１ａ、１ｂはその遊端部上下面に滑走ピンにより形成された滑走体３が設けられ、この滑走体３が上下の框に取り付けられたレール４に沿って摺動するように形成されている。尚、図３並びに図４では上部のレール及び上部滑走体は表示されていない。また本実施例では、扉体１ｂの滑走体３がレール４に定着されるが、レール４に沿って滑走するようにしても差し支えない。
【０００９】
前記センターヒンジ２は、前記特許文献で開示されたセンターヒンジと同じように、左右の扉体１ａ、１ｂが直線姿勢となる閉鎖位置（図２参照）に閉じられる際に、その閉鎖運動終端近傍位置で、左右の扉体１ａ、１ｂを閉鎖位置に向かって強制するスプリング（図示せず）が組み込まれたものが使用される。このセンターヒンジ２の機構は上記特許文献等により広く知られた技術であるのでその詳細な説明は省略する。
【００１０】
本発明では、前記センターヒンジ２のスプリングによる扉体１ａ、１ｂの急激な閉鎖運動を緩和するために緩衝具１０が扉体１ａ、１ｂの上下端面に取り付けられている。この扉体１ａ、１ｂの上下に設けられる緩衝具１０は同じ構造であるので、上部の緩衝具１０について以下に説明する。
【００１１】
前記緩衝具１０は、一方の扉体１ａの上端面で互いに隣接する端部近傍に取り付けられたロータリーダンバー１１を備えており、該ロータリーダンバー１１は、縦軸の周りで回動するローター１２を内蔵している。本実施例では、前記ロータリーダンバー１１は扉体１ａの上面にあけた垂直な穴１７に埋め込まれ、ビス１８で固定されている。更に、前記ローター１２に他方の扉体１ｂに向かって水平方向に延びる回動アーム１３の一端が連結され、回動アーム１３の他端が他方の扉体１ｂの上端面に取り付けられた垂直な枢軸１４にスライド可能に連結されている。本実施例では枢軸１４がビス１５により扉体１ｂに取り付けられ、回動アーム１３に形成された長孔１６に前記枢軸１４が摺動回動可能に挿入されている。このようにして、左右の扉体１ａ、１ｂの開閉運動に伴って回動アーム１３が図３の状態から図４の状態までローター１２と共に回動するように形成されている。
【００１２】
ロータリーダンバー１１のローター１２は、内部に充填されたシリコン等のオイルの粘性抵抗やスプリングの反力によって、設定された回動領域で自身の回動に制動トルクを生じせしめるように形成されている。前記設定された回動領域とは、図５に示す扉体１ａ、１ｂの閉鎖運動終端近傍位置から図３の閉鎖位置までのローター１２の回動領域を意味する。これにより、扉体１ａ、１ｂの急激な閉鎖運動にブレーキをかけるように形成されている。上記ローター１２による制動トルクは前記センターヒンジ２のスプリングによる扉体閉じ力より小さく設定されている。尚、ロータリーダンバーは、例えば「ＴＫロータリーダンパー」「ＴＯＫダンバー」「ＴＡＫＡＨＡＴＡダンバー」（何れも商品名）等で周知であるので、その構造の説明は省略する。
【００１３】
上記の構成において、図４の折り戸折り畳み姿勢（開放位置）から折り戸１を閉じ方向に操作すると、緩衝具１０の回動アーム１３もロータリーダンバー１１のローター１２と共に回動し、図５に示す閉鎖運動終端近傍においてローター１２による制動トルクによってよって扉体１ａ、１ｂの急激な閉鎖運動にブレーキがかかり、センターヒンジ２のスプリングによる折り戸１の急激な閉鎖運動を緩和して、折り戸１を図２の閉鎖位置まで滑らかに閉じることができる。また、ローター１２による制動トルクはセンターヒンジ２のスプリングによる扉体閉じ力より小さく設定されているので、扉体閉鎖途中で手を離してもセンターヒンジ２のスプリング力によって折り戸１を閉鎖位置まで完全に閉じることができる。
【００１４】
図６は本発明に於けるロータリーダンバー１１の別の取付手段を示すものであって、扉体１ａの背面に垂直な溝１９が設けられ、これにロータリーダンバー１１を嵌め込んでビス止めされている。
【００１５】
本発明では、図７に示すように、回動アーム１３の長穴１６に装着される枢軸１４’を、上記ロータリーダンバー１１のローター１２と同じ構造のものに代えることも可能である。この場合、ローターである枢軸１４’は長穴１６の方向に沿ってのみスライド可能とし、回動アーム１３の回動と同調してスライドしながら回動するように形成する。また、ローターである枢軸１４’は、扉体１ａ、１ｂの閉鎖運動終端近傍位置から閉鎖位置までの回動領域において制動トルクが生じるように形成されている。これにより上記ロータリーダンバー１１と協働してより大きな制動力を得ることができ、折り戸の急激な閉鎖運動を確実に緩和することが可能となる。
【００１６】
以上本発明の実施例について説明したが、本発明は必ずしもこれらの実施例構造のみに限定されるものでない。例えば、緩衝具１０は扉体の上端面又は下端面の何れか一方のみに取り付けて構成することも可能である。その他本発明ではその構成要件を備え、かつ本発明の目的を達成し、上記の効果を奏する範囲内において適宜改変して実施することができるものである。
【産業上の利用可能性】
【００１７】
本発明に係る折り戸の開閉装置は、建具や家具等の折り戸全般に利用することが可能である。
【図面の簡単な説明】
【００１８】
【図１】本発明に係る折り戸の開閉装置の一実施例を示すものであって要部の分解斜視図。
【図２】上記折り戸の閉鎖装置の要部の斜視図。
【図３】上記折り戸の閉鎖位置を示す平面図。
【図４】上記折り戸の開放位置を示す平面図。
【図５】上記折り戸の閉鎖過程を示す平面図。
【図６】本発明に於けるロータリーダンバーの別の取付手段を示す斜視図。
【図７】本発明の別の実施例を示す部分的な平面図。
【符号の説明】
【００１９】
１  折り戸
１ａ、１ｂ  扉体
２  センターヒンジ
３  滑走体
４  レール
１０  緩衝具
１１  ロータリーダンバー
１２  ローター
１３  回動アーム
１４  枢軸
１６  長穴
【図１】
2008038441.tif 000003
【図２】
2008038441.tif 000004
【図３】
2008038441.tif 000005
【図４】
2008038441.tif 000006
【図５】
2008038441.tif 000007
【図６】
2008038441.tif 000008
【図７】
2008038441.tif 000009